(57)【特許請求の範囲】
【請求項１】
直立設置された筒型タンクの頂部に足場を設けるための足場システムであって、前記タンクの外周に回される紐状または帯状のベルトと、当該ベルトに取り付けられ前記筒型タンクの外周面上で垂直方向に竪管を挿通する複数のリング部材と、当該リング部材に挿通され垂直方向に延在する複数本の竪管と、前記タンクの頂部近傍において水平方向に渡され前記竪管同士を連結する複数の横管と、当該複数の横管の間にわたされて固定される足場板と、を具えることを特徴とする足場システム。
【請求項２】
請求項１に記載の足場システムにおいて、前記リング部材は、前記ベルトに摺動可能に取り付けられていることを特徴とする足場システム。
【請求項３】
請求項１または２に記載の足場システムにおいて、前記ベルトは、ラッシングベルトであることを特徴とする足場システム。
【請求項４】
請求項１乃至３のいずれかに記載の足場システムにおいて、前記ベルトが少なくとも２本以上あり、前記竪管は各々のベルトに取り付けられたリング部材に貫挿されることを特徴とする足場システム。
【請求項５】
筒型タンクの頂部に足場を設けるための足場システムの構築方法であって、前記タンクの外周に紐状または帯状のベルトをまわして固定する工程と、当該ベルト部材に取り付けられ前記筒型タンクの外周面上に配置された複数のリング部材に竪管を上下方向に挿通させる工程と、前記タンクの頂部近傍において水平方向に複数の横管を渡して前記竪管と連結する工程と、前記複数の横管の間に足場板をわたして固定する工程と、を具えることを特徴とする足場システムの構築方法。
【請求項６】
請求項５に記載の方法において、前記ベルトを固定する工程は位置を違えて２本以上のベルトをタンクに固定するとともに、前記リング部材に竪管を挿通する工程は前記２本以上のベルトにそれぞれ取り付けられた２以上のリング部材に竪管を挿通することを特徴とする足場システムの構築方法。
【発明の詳細な説明】
【技術分野】
【０００１】
本発明は、タンクの足場システムおよびその構築方法に関し、特に、円筒形状のろ過タンクや貯水タンク等に適用する簡単かつ安価な足場システムおよびその構築方法に関する。
【背景技術】
【０００２】
例えばろ過タンクや建物屋上の貯水タンクなどの円筒形タンクにおけるろ材の交換や内部洗浄には、タンク上部のアクセス口まで作業員が上がり作業を行う必要がある。ここで円筒形タンクには通常登るための梯子が取り付けられているが、この梯子には１人しか乗れず、また足下が安定せず、現実に作業を行うのは困難であった。このため、タンクを取り囲むように足場を組み、ろ材の交換等の作業を行う必要があった。
【発明の開示】
【発明が解決しようとする課題】
【０００３】
しかしながら、従来の金属パイプで組まれる足場は自立式であり、タンクの周囲に所定のスペースを必要とする。したがって、タンク周囲に十分なスペースが存在しない場合は足場が組めない問題があった。近年では円形に足場を組むユニットも開発されているが、これは汎用性に欠けるとともに導入コストが高いものである。また、円筒形タンクの周りを取り囲むように足場を組むには面倒な作業が伴うとともに、部品点数が多く、運搬や保管の手間がかかるものであった。
【０００４】
本発明はこのような点に鑑みなされたものであり、ろ過タンクや小型の貯水タンクなど円筒形タンクに簡単に足場を組んで頂部開口にアクセスすることができ、部品点数が少なく、安価で、安全な足場システムおよびその構築方法を提供することを目的とする。
【課題を解決するための手段】
【０００５】
本発明は、直立設置された筒型タンク用の足場システムであって、前記タンクの外周に回される紐状または帯状のベルトと、当該ベルトに取り付けられ垂直方向に竪管を挿通する複数のリング部材と、当該リング部材に挿通され垂直方向に延在する複数本の竪管と、前記タンクの頂部近傍において水平方向に渡され前記竪管同士を連結する横管と、当該横管に支持され固定される足場板とを具えることを特徴とする。
【０００６】
この足場システムにおいて、前記リング部材は、前記ベルトに摺動可能に取り付けられていることが有効である。
【０００７】
前記ベルトは、ラッシングベルトであることが有効である。
【０００８】
前記ベルトが少なくとも２本以上あり、前記竪管は各々のベルトに取り付けられたリング部材に貫挿されることが有効である。
【０００９】
本発明の筒型タンク用の足場システムの構築方法は、前記タンクの外周に紐状または帯状のベルトをまわして固定する工程と、当該ベルト部材に取り付けられた各リング部材に竪管を上下方向に挿通させる工程と、前記タンクの頂部近傍において水平方向に横管を渡して前記竪管と連結する工程と、前記横管に足場板を固定する工程と、を具えることを特徴とする。
【００１０】
前記ベルトを固定する工程は位置を違えて２本以上のベルトをタンクに固定するとともに、前記リング部材に竪管を挿通する工程は前記２本以上のベルトにそれぞれ取り付けられた２以上のリング部材に竪管を挿通することが有効である。
【発明の効果】
【００１１】
本発明の足場システムは、筒型タンクの外周にベルトをまわしてこれに竪管を固定するため、タンクの周りに自立式の四角い鉄筋足場を組む必要がなくなり、部品点数を抑えて非常に簡便且つ低コストに足場を組むことができる。同時に、タンクの外周に沿わせて竪管を立てるため周囲に十分なスペースがない場合にも足場を組むことができる。
【００１２】
また、足場の竪管を保持するリング部材をベルトに対して摺動可能としたため、径の異なるタンクに適用する場合にも適切な位置にリング部材を再配置することが可能となり、汎用性が向上する。
【００１３】
また、タンクの外周にまわして固定するベルトにラッシングベルトを用いると、タンクへの取り付けおよび固定が容易になるとともに、径の異なる多様なタンクへ適用することが可能となり汎用性が向上する。このベルトはタンクの高さ等に応じて２本以上用いると竪管ひいては足場の安定性が向上する。
【発明を実施するための最良の形態】
【００１４】
本発明を実施するための最良の実施形態について図面を参照しながら以下に詳細に説明する。
【００１５】
図１は、本発明の足場システムの構成を示す図である。本発明の足場システムはろ過タンクや建物の屋上に設置される小型の貯水タンク等の筒状タンクに適用する足場システムであり、筒型タンクの頂部アクセス口の近傍に足場板を組むものである。図１に示すように、本発明の足場システムは筒型タンク１の外周に回される紐状または帯状のベルト１１と、当該ベルト１１に取り付けられ垂直方向に竪管１３を挿通する複数のリング部材１２と、当該リング部材１２に挿通され垂直方向に延在する複数本の竪管１３と、タンク１の頂部近傍において水平方向に渡され竪管１３同士を連結する横管１４と、当該横管１４に支持され固定される足場板１５とを具えている。
【００１６】
ベルト１１は、例えばポリエステル等の高強度合成繊維でなるラッシングベルトであり、幅２０〜５０ｍｍ、引っ張り強度３５００ｋｇ以上のものを好適に用いることができる。ベルト１１はタンク１の外周以上の長さのものを用い、バックル１１ａにより確実に締め上げることができ、また所定の操作により容易に取り外すことができる。ベルト１１及びバックル１１ａは公知のものを用いることができ、例えばバックル１１ａはラチェット式であってもよい。このベルト１１はタンク１の高さに応じてほぼ等間隔で２本以上取り付けられる。なお、ベルト１１も上記の構成に限らず、紐状であってもよい。
【００１７】
図２は、ベルト１１とリング部材１２の取り付け構造の一例を示す図である。リング部材１２はパイプ固定リング１２ａと、ベルト１１を貫挿するアジャスタ１２ｂとを具える。アジャスタ１２ｂはベルト１１に固定されず、ベルト１１に対してスライド可能である。アジャスタ１１ｂはパイプ固定リング１２ａと固定されていてもよいし、着脱可能に構成されてもよい。このアジャスタ１１ｂは好ましくはベルト１１と同様に強度のある合成繊維によるキャンパス地で構成され、タンク１の外周及び／又はベルト１１の湾曲に沿って変形する。このようにタンク１の外周カーブに沿って変形することにより、足場組み立て時にリング部材１２がベルト１１に固定され、予期せぬ位置ずれが防止される。パイプ固定リング１２ａは他の部材と同様にキャンパス地で構成されてもよいし、金属など硬くて丈夫な材質であってもよい。パイプ固定リング１２ａは適用する竪管１３の太さによって適切な径のものを選択するようにする。あるいは、パイプ固定リング１２ａはそれ自身が太さを変更可能に構成されていてもよい。すなわち、例えばパイプ固定リング１２ａを両端が開放された帯状布材で構成し面ファスナで任意の太さに留め付ける構成としたり、リング状の金属部材をほぼ２分割したものを互いの距離を調整可能にねじで連結する構成として、適用する竪管１３に合わせてその太さを変更可能に構成してもよい。
【００１８】
リング部材１２の数は任意であってよいが、図１に示す実施例では竪管１３を４本用いるため４つのリング部材１２が各ベルト１１に取り付けられている。これは適用する竪管の本数に応じて増減することができる。
【００１９】
竪管１３は、適用するタンク１の高さ以上の長さのものが用いられ、図１に示すように、各ベルト１１に取り付けられたリング部材１２に垂直方向に保持される。竪管１３はその後横管１４に連結されることにより安定するため、各リング部材１２に確実に固定される必要はない。竪管１２の下端部はそのまま床面に当接し、リング部材１２に保持されて直立する。竪管１２の下端部にゴム製のカバーを設けてクッション性を付与し、床面が傷つかないようにしてもよい。
【００２０】
このようにして竪管１３を配設したら、その頂部近傍において水平方向に横管１４を渡して竪管と連結する。この連結は公知の足場金物を用いて実現することができる。これにより隣接する竪管同士が横管により確実に固定される。その後、水平方向に渡した横管１４の上に足場板１５を載置して、下の横管１４及び／又は竪管１３に番線（図示せず）で緊結する。図１の実施例では横管１４が四角く渡されており、各横管１４に沿って４枚の足場板１５が固定される。これにより、タンク１の上部アクセス口１ａとほぼ同じ高さの位置に足場を組むことができる。さらに、必要に応じて横管１４に梯子１６を取り付け、楽に上がれるようにしてもよい。また、竪管１３の頂部には十分な強度を有する綱材（親綱）１７を渡して、作業時の落下防止手すりとして構成する。
【００２１】
このようにタンク足場を構築すると、タンクの周囲に従来のような自立式の足場を組む必要がなくなり、部品点数を大幅に削減できるとともに、タンク周りに十分なスペースがない場合にもタンク足場を組むことができる。また、タンク１の上部アクセス口１ａに近接させて足場板１５を渡すことができるため、アクセス口１ａへの作業が容易になる。この足場システムは構築および撤去が容易で、安価に導入することができ、またタンクの外径や外周形状の変化にも容易に対応することができる。すなわち、タンクの外径が大きい場合には周囲に５本以上の竪管１３を立てることにより構造を安定させることができ、またベルト１１に布製ベルトを用いるとタンクが断面四角形であると六角形であるとを問わず、タンク周囲に回して竪管１３を配設することができる。なお、タンク１の高さがある場合は２本以上の竪管を継ぎ手で連結して適用してもよい。
【００２２】
以上に本発明の一実施例について説明したが、本発明の技術的範囲は上記実施例に限定されるものではなく、他の様々な変形例として構成することができる。例えば本発明の足場システムの上端部にさらに櫓を組んでチェーンブロック等を吊下できるようにしてもよい。なお、本願書類において縦方向および横方向に渡される鉄骨部材を竪管および横管と称しているが、これは本発明の足場システムの構造を支持できるものであれば管状でない鉄筋であってもよいし、他の丈夫な素材からなる棒状部材であってもよい。
【産業上の利用可能性】
【００２３】
本発明にかかるタンク足場システムは、タンクのろ材交換などの設備処理業、建設業、清掃業などに好適に利用することができる。
【図面の簡単な説明】
【００２４】
【図１】本発明にかかるタンク足場システムの一実施例の構成を示す図である。
【図２】足場システムを構成するベルトとリング部材との連結構造を示す図である。
【符号の説明】
【００２５】
１      タンク
１ａ    上部アクセス口
１１    ベルト
１１ａ  バックル
１２    リング部材
１３    竪管
１４    横管
１５    足場板
１６    梯子
【図１】
0004841913.tif 000002
【図２】
0004841913.tif 000003